(57)【特許請求の範囲】
【請求項１】
Ｘ線管球と、
そのＸ線管球を覆う容器と、
その容器内の絶縁油の封入空間を囲む壁の一部を、その内面側により構成する受圧素子とを備え、
その受圧素子の弾性変形により前記絶縁油の体積変動を吸収可能なＸ線照射装置において、
その受圧素子の外面側に、湿性の潤滑材が塗布されていることを特徴とするＸ線照射装置。
【発明の詳細な説明】
【０００１】
【発明の属する技術分野】
本発明は、Ｘ線管球を覆う容器に絶縁油が封入されているＸ線照射装置に関する。
【０００２】
【従来の技術】
医療用Ｘ線診断装置等において用いられるＸ線照射装置として、Ｘ線管球を覆う容器に、そのＸ線の絶縁、冷却用に絶縁油を封入したものが用いられている。この場合、その絶縁油は温度変動に基づき膨張、収縮を繰り返して体積が変動するため、その体積変動を吸収するために、その絶縁油の封入空間を囲む壁の一部を、弾性変形可能なゴム製のベローズと呼ばれる受圧素子の内面により構成している。
【０００３】
【発明が解決しようとする課題】
その受圧素子は絶縁油の体積変動に伴い絶えず変形するため、小型になると外面側の一部分同志が互いに接触し、磨耗することがある。また、その受圧素子の外面側は大気に接し、受圧素子の構成素材であるゴム等の弾性素材は空気中の酸素やオゾンによって劣化して亀裂を生じ易い。そのため、その受圧素子の破損や絶縁油漏れなどの問題を生じるおそれがある。特に、Ｘ線照射装置が使用される病院等の検査室には種々の機器があり、酸素やオゾンの濃度は一般の環境よりも高い傾向にあり、また、装置自体が小型になると、受圧素子も小さくなるため変形が大きく頻繁になり、摩耗を生じ易くなる。
【０００４】
本発明は、上記問題を解決することのできるＸ線照射装置を提供することを目的とする。
【０００５】
【課題を解決するための手段】
本発明は、Ｘ線管球と、そのＸ線管球を覆う容器と、その容器内の絶縁油の封入空間を囲む壁の一部を、その内面側により構成する受圧素子とを備え、その受圧素子の弾性変形により前記絶縁油の体積変動を吸収可能なＸ線照射装置において、その受圧素子の外面側に、湿性の潤滑材が塗布されていることを特徴とする。
【０００６】
本発明の構成によれば、受圧素子の外面側の一部分同志が互いに接触しても、潤滑材により接触部間の摩擦を小さくできるため、受圧素子の磨耗を防止できる。さらに、その潤滑材により受圧素子の容器外部側を外気から遮断できるので、その受圧素子の素材であるゴム等が酸素やオゾンにより劣化するのを防止できる。
【０００７】
【発明の実施の形態】
以下、図面を参照して本発明の実施形態を説明する。
【０００８】
図１に示すＸ線照射装置は、回転陽極形のＸ線管球１と、このＸ線管球１を覆う容器２とを備える。
【０００９】
そのＸ線管球１は、集束電極１１と、陽極１２と、その集束電極１１と陽極１２とを被覆するガラスバルブ１３とを有する。その集束電極１１はガラスバルブ１３に固定され、高電圧を印加されることで熱電子を放出するフィラメント１４を有する。その陽極１２は、上記フィラメント１４に対向する円板状のターゲット１５と、このターゲット１５に同軸中心に同行回転可能に取り付けられているロータ１６と、このロータ１６を一対の転がり軸受１７、１８を介して相対回転可能に支持するホルダー３０とを有する。そのホルダー３０はガラスバルブ１３に固定される。
【００１０】
その容器２は、中空の容器本体４０を有し、この容器本体４０内部に陽極保持具４１と陰極保持具４２とステータ４３とが設けられ、その陽極保持具４１によりＸ線管球１の陽極１２のホルダー３０が保持され、その陰極保持具４２によりガラスバルブ１３の陰極側が保持され、そのステータ４３により陽極１２のロータ１６が囲まれ、さらに、容器本体４０の内周にはＸ線管球１を覆うように防護鉛４４が取り付けられる。そのターゲット１５に熱電子が衝突することで発生するＸ線を容器２外部に照射できるように、容器本体４０にはＸ線照射窓４５が形成され、このＸ線照射窓４５はＸ線を透過するカバー４６により覆われる。また、その容器本体４０には、Ｘ線管球１への配線ケーブルを容器２外部へ引き出すためのケーブルレセプタクル４７が設けられている。
【００１１】
その容器本体４０の内部にＸ線管球１の絶縁及び冷却のために絶縁油５０が封入される。その絶縁油５０の温度変化による膨張、収縮の繰り返し、すなわち体積変動を吸収するため、容器本体４０の内部にゴムや合成樹脂等により成形される弾性変形可能なベローズ（受圧素子）５１が設けられている。そのベローズ５１は、底壁部５１ａと周壁部５１ｂとを有し、その周縁が容器本体４０の一端内周に形成されたインロー４０ａに嵌め合わされる。このベローズ５１の内面側は、その絶縁油５０の封入空間を囲む壁の一部を構成する。また、そのベローズ５１と容器本体４０の一端部との間に、隙間（図示省略）を介して容器２の外部に通じる空間５２が形成され、その空間５２への絶縁油５０の浸入を防止できるように、シールリング５３が上記インロー４０ａに嵌め合わされている。これにより、そのベローズ５１の外面側は大気に接する。
【００１２】
そのベローズ５１の外面側に、オイルやグリース等の湿性の潤滑材５９が全面に亘って塗布されている。これにより、ベローズ５１の外面側の一部分同志が互いに接触しても、その潤滑材５９により接触部間の摩擦を小さくできるため、ベローズ５１の磨耗を防止できる。さらに、その潤滑材５９によりベローズ５１の容器外部側を外気から遮断できるので、そのベローズ５１の素材であるゴム等が酸素やオゾンにより劣化するのを防止できる。
その潤滑材５９として用いられるオイルやグリースは、潤滑性、ゴムとの親和性、高温（一般的には最大８５℃程度）における耐乾性等に優れたものが好ましく、例えば、シリコン系のオイルやグリースが望ましい。
【００１３】
本発明は上記実施形態に限定されない。例えば、容器の外部に絶縁油の封入空間を設け、その封入空間を囲む壁の一部を受圧素子の内面側により構成してもよい。例えば、上記容器２に、図２に示す絶縁油５０の循環装置６０を接続する。その循環装置６０は、その容器本体４０内の絶縁油５０を配管６１を介してポンプ６２により吸引してファン６３ａ付の空冷ラジエータ６３に送り出し、このラジエータ６３により冷却した後に配管６１を介して容器本体４０に循環させる。その配管６１に補助容器６５が接続され、その補助容器６５の内部にゴムや合成樹脂等により成形される弾性変形可能なベローズ（受圧素子）６６が設けられる。そのベローズ６６は、底壁部６６ａと周壁部６６ｂとを有し、その周縁が補助容器６５の内面に接続される。このベローズ６６の内面側は、その補助容器６５に導入される絶縁油５０の封入空間を囲む壁の一部を構成する。また、そのベローズ６６と補助容器６５の一端部との間に、通孔６５ａを介して補助容器６５の外部に通じる空間６７が形成され、その空間６７への絶縁油５０の浸入を防止できるように、シールリング６８がベローズ６６と補助容器６５との間に設けられている。これにより、そのベローズ６６の外面側は大気に接する。そのベローズ６６が弾性変形することで、絶縁油５０の温度変化による膨張、収縮の繰り返しを吸収できる。そのベローズ６６の外面側に、上記潤滑材５９と同様の湿性の潤滑材６９が全面に亘り塗布されている。これにより、ベローズ６６の容器外部側の一部分同志が接触しても、その接触部間の摩擦が小さいため磨耗を防止できる。さらに、その潤滑材６９によりベローズ６６の容器外部側を外気から遮断できるので、そのベローズ６６の素材であるゴム等が酸素やオゾンにより劣化するのを防止できる。なお、ベローズは、容器２側と補助容器６５側の少なくとも一方に設けられていればよい。
【００１４】
【発明の効果】
本発明によれば、絶縁油の体積変動吸収用の受圧素子の破損や劣化を防止し、長期間に亘り安定して使用できるのＸ線照射装置を提供できる。
【図面の簡単な説明】
【図１】  本発明の実施形態のＸ線照射装置の断面図
【図２】  本発明の変形例のＸ線照射装置に接続される循環装置の構成説明図
【符号の説明】
１  Ｘ線管球
２  容器
５０  絶縁油
５１、６６  ベローズ（受圧素子）
５９、６９  潤滑材
【図１】
0003661310.tif 000002
【図２】
0003661310.tif 000003